(57)【要約】【課題】発汗などによる分泌物があってもかつらの接着部でのべとつきを抑制し、延いてはかつらの固定力の低下を抑制して、かつらの固定状態を安定させることができ、しかも洗浄等の手間の要らないかつら用塗布液を提供する。【解決手段】本発明のかつら用塗布液は、二酸化チタン（ＴｉＯ２）とペルオキソチタン酸（Ｔｉ２Ｏ５（ＯＨ）２）を０．８〜０．９重量％含む第１の水溶液と、ジメチルエーテル（Ｃ２Ｈ６Ｏ）を０．８〜０．９重量％含む第２の水溶液とを混合した水溶液である。【選択図】なし【特許請求の範囲】
【請求項１】
かつらの固定状態を維持するために用いられるかつら用塗布液であって、二酸化チタンを含有することを特徴とするかつら用塗布液。
【請求項２】
かつらの固定状態を維持するために用いられるかつら用塗布液が充填されたかつら用スプレーであって、上記かつら用塗布液は、二酸化チタンを含有することを特徴とするかつら用スプレー。
【発明の詳細な説明】
【技術分野】
【０００１】
本発明は、かつらの装着力を持続させることができるかつら用塗布液及びかつら用スプレーに関する。
【背景技術】
【０００２】
かつらは、例えば、人毛あるいはポリエチレン等の化学繊維からなる人工毛髪と、人工毛髪が植毛され且つ人工毛髪を支持する薄皮状のベース部と、ベース部の裏面に人工毛髪の基端部を固定し且つ頭皮に接着する接着部と、を有し、接着部を介して頭部に装着するように構成されている。この種のかつらとして、例えば特許文献１に記載の使い捨てかつらや、特許文献２に記載のかつらが知られている。
【０００３】
特許文献１に記載の使い捨てかつらではベース部全面には人工毛髪を植毛するための微細孔と通気用の微細孔が多数形成されており、また、ベース部の裏面には人工毛髪をベース部に固定するための接着剤層とかつらを頭部に固定するため接着剤層の二層からなる接着部として形成されている。二層構造の接着部は、接着剤をベース部の裏面に二回に分けてコーティングすることによって形成される。
【０００４】
また、特許文献２にはベース部がネット素材またはフィルム素材と軟質ポリウレタン素材からなるかつらが提案されている。このかつらは、軟質ポリウレタン素材が頭皮との粘着剤として使用されており、軟質ポリウレタン素材を介して頭部に固定される。
【０００５】
【特許文献１】特開２００１−０８９９２１
【特許文献２】特開２００６−２０７０３５
【発明の開示】
【発明が解決しようとする課題】
【０００６】
しかしながら、特許文献１に記載のかつらでは、かつらの着用により頭皮からの発汗などによる種々の分泌物が発生し、この影響によりかつらの接着部がべとつくなどして、かつらの固定力が低下し、かつらの装着状態が不安定になる問題があった。また、特許文献２のかつらでは頭皮から分泌物が発生してべとつく時にはかつらを洗浄することによって軟質ポリウレタン素材の粘着力を回復させるが、洗浄し、乾燥させる手間がかかる。
【０００７】
本発明は、上記課題を解決するためになされたもので、発汗などによる分泌物があってもかつらの接着部でのべとつきを抑制し、延いてはかつらの固定力の低下を抑制して、かつらの固定状態を安定させることができ、しかも洗浄等の手間の要らないかつら用塗布液及びかつら用スプレーを提供することを目的としている。
【課題を解決するための手段】
【０００８】
本発明の請求項１に記載のかつら用塗布液は、かつらの固定状態を維持するために用いられるかつら用塗布液であって、二酸化チタンを含有することを特徴とするものである。
【０００９】
また、本発明の請求項２に記載のかつら用スプレーは、かつらの固定状態を維持するために用いられるかつら用塗布液が充填されたかつら用スプレーであって、上記かつら用塗布液は、二酸化チタンを含有することを特徴とするものである。
【発明の効果】
【００１０】
本発明によれば、発汗などによる分泌物があってもかつらの接着部でのべとつきを抑制し、延いてはかつらの固定力の低下を抑制して、かつらの固定状態を安定させることができ、しかも洗浄等の手間の要らないかつら用塗布液及びかつら用スプレーを提供することができる。
【発明を実施するための最良の形態】
【００１１】
本実施形態のかつら用塗布液は、二酸化チタン（ＴｉＯ２）を含有している。このかつら用塗布液は二酸化チタンを含有するため、かつら用塗布液をかつらに付与することにより、後述のようにかつらの接着部におけるべとつき等を抑制して、かつらの固定状態を従来よりも長時間に亘って持続させることができる。
【００１２】
而して、本実施形態のかつら用塗布液に用いられる二酸化チタンは、例えば粉末状またはゾル状に形成され、ペルオキソチタン酸（Ｔｉ２Ｏ５（ＯＨ）２）水溶液に添加して第１の水溶液として調製される。第１の水溶液は、例えば二酸化チタンとペルオキソチタン酸を合わせた濃度が例えば０．８〜０．９重量％に調整された水溶液が好ましい。二酸化チタンとペルオキソチタン酸は、二酸化チタンが６５〜７５重量％で、ペルオキソチタン酸が３５〜２５重量％の混合比で混合されていることが好ましい。ペルオキソチタン酸は、水酸基を介して二酸化チタンとの親和性を付与し、二酸化チタンを安定的に分散させている。このかつら用塗布液としては、例えば、株式会社鯤コーポレーション製のものを用いることが好ましい。
【００１３】
また、本実施形態のかつら用塗布液は、かつらに塗布した時の揮発性を付与するために、二酸化チタン及びペルオキソチタン酸以外に揮発性の有機溶媒として例えばジメチルエーテル（Ｃ２Ｈ６Ｏ）を含有していることが好ましい。ジメチルエーテルは、水に添加して第２の水溶液として調製される。第２の水溶液のジメチルエーテルの濃度は、例えば０．８〜０．９重量％に調整されたものが好ましい。本実施形態では揮発性の有機溶媒としてジメチルエーテルを用いるが、必要に応じてジメチルエーテルに代えてメチルアルコール等の揮発性のアルコール類を用いても良い。
【００１４】
本実施形態のかつら用塗布液は、第１の水溶液と第２の水溶液を混合して調製され、例えば７０重量％の第１の水溶液と３０重量％の第２の水溶液を混合して構成されたものが好ましい。このかつら用塗布液は、従来公知の方法によりスプレー缶内に窒素ガス等の不活性ガスと一緒に充填し、不活性ガスの圧力を所定圧力に調整し、ボタン操作で噴霧される状態することによって、本実施形態のかつら用スプレーを得ることができる。本実施形態のかつら用スプレーは、本実施形態のかつら用塗布液をかつらに噴霧するこおｔによって、かつらのベース部にかつら用塗布液を塗布することができる。
【００１５】
本実施形態のかつら用塗布液を用いるかつらは、例えば、人毛あるいはポリエチレン等の化学繊維からなる人工毛髪と、人工毛髪が植毛され且つ人工毛髪を支持するベース部と、ベース部の裏面に人工毛髪の基端部を固定し且つ頭皮に接着する接着部と、を有し、接着部を介して頭部に装着するように構成されている。
【００１６】
薄皮状のベース部には、従来と同様に、人工毛髪を植毛するための多数の微細孔と通気用の多数の微細孔がそれぞれ形成されている。接着部は、ベース部に接着剤を塗布することによって形成され、人工毛髪をベース部に固定している。ベース部の植毛部以外の微細孔は、通気孔として保持されている。ベース部としては、例えば、薄皮状の人口頭皮に多数の微細孔が形成されたもの、あるいは繊維を網目状に編んで形成されたもの等があり、特に制限されるものではない。
【００１７】
本実施形態のかつら用スプレーは、かつらを装着する前後に使用される。このスプレーをボタン操作することにより、かつら用塗布液をかつらの人工毛髪側からかつら全体に噴霧すると、かつら用塗布液がかつらのベース部全面及びその裏面側（頭皮側）に塗布される。即ち、かつら用塗布液が人工毛髪の隙間からベース部の全面に到達し、ベース部の表面をコーティングすると共にベース部の通気用の微細孔を介してベース部の裏面側（頭皮側）の接着部にも回り込む。
【００１８】
かつら用塗布液がコーティングされたベース部では水分がジメチルエーテルと一緒に短時間で蒸発し、二酸化チタンとペルオキソチタン酸がベース部及び接着部に残ることになる。
【００１９】
上述のようにしてかつら用塗布液が塗布されたかつらを着用していると、発汗により頭皮で分泌物が発生し、この分泌物が接着部に浸透すると共に通気孔から蒸散する。この時、ベース部及び接着部には二酸化チタン及びペルオキソチタン酸がコーティングされているため、二酸化チタン及びペルオキソチタン酸によって分泌物によるべとつきが抑制される。また、分泌物によるかつらの汚れが二酸化チタン及びペルオキソチタン酸によって抑制され、延いては分泌物などによる臭気成分を抑制することができる。
【００２０】
以上説明したように本実施形態によれば、かつら用塗布液が二酸化チタンを含有しているため、かつら用塗布液をかつらの人工毛髪側から噴霧してベース部及び接着部をコーティングすると、二酸化チタンの働きで頭皮での接着部のべとつきを抑制することができ、かつらの固定状態を長時間、例えば２〜３週間に亘って維持することができる。また、二酸化チタンの働きでかつら着用時の分泌物などによる臭気成分を抑制することもできる。
【００２１】
尚、上記実施形態では二酸化チタンの他にペルオキソチタン酸を含有するかつら塗布液を例に挙げて説明したが、ペルオキソチタン酸以外で二酸化チタンを水溶液中で安定した状態で分散させる安定化剤を添加することもできる。要するに、本発明は、上記実施形態に何ら制限されるものではなく、必要に応じて二酸化チタン以外の物質を適宜添加することができる。
【産業上の利用可能性】
【００２２】
本発明は、頭部で発汗してもかつらを安定的に固定することができるかつら用塗布液及びかつら用スプレーとして好適に利用することができる。